(57)【要約】【課題】レーザ測量機を三脚上に縦置きでも横置きでも自在に固定でき、三脚を取り外すと、レーザ測量機を凹凸のある面上でも縦置きでも横置きでも自在に直置きできるようにするとともに、レーザ測量機に取り付ける小型の脚アダプタを提供する。【解決手段】レーザ測量機（１０）を縦置き又は横置き自在にするマウント（４０）を有し、このマウントは、レーザ測量機の底面（１４）に当接する底面当接壁（４２）と、レーザ測量機のサイド脚部（２２）に当接する側面当接壁（４４）とを有し、底面当接壁及び側面当接壁それぞれには三脚取付部（７０Ａ、７０Ｂ）及び３本の固定脚（８０Ａ、８０Ｂ）を設ける。底面当接壁又は側面当接壁には補助マウント（５０）が着脱可能に取り付けられ、補助マウントには伸縮可能な伸縮脚（６０）が取り付けられる。【選択図】  図６
2005003643.tif 000002
【特許請求の範囲】
【請求項１】
レーザ測量機に取り付けられ、前記レーザ測量機を縦置き又は横置き自在にするマウントを有する脚アダプタであって、
前記マウントは、前記レーザ測量機の底面に当接する底面当接壁と、前記レーザ測量機の側面に当接する側面当接壁とを有し、
前記底面当接壁及び前記側面当接壁それぞれには三脚取付部及び３本の固定脚を設けたことを特徴とする脚アダプタ。
【請求項２】
前記底面当接壁に設けられた三脚取付部は、前記底面当接壁に回転可能に軸支されるとともに、前記レーザ測量機の底面に設けられた三脚取付孔に螺合する雄ねじ部を備えたことを特徴とする請求項１に記載の脚アダプタ。
【請求項３】
前記底面当接壁又は前記側面当接壁に着脱可能に取り付けられる補助マウントと、該補助マウントに伸縮可能に取り付けられた伸縮脚とを備えたことを特徴とする請求項１又は２に記載の脚アダプタ。
【請求項４】
前記補助マウントには前記固定脚に着脱可能な係合部が設けられたことを特徴とする請求項３に記載の脚アダプタ。
【請求項５】
前記補助マウントには気泡管が備えられたことを特徴とする請求項３又は４に記載の脚アダプタ。
【発明の詳細な説明】
【０００１】
【発明の属する技術分野】
本発明は、レベルプレーナ等のレーザ測量機を床面等に縦置き又は横置き自在にできるようにするとともに、三脚等にも固定可能な脚アダプタに関する。
【０００２】
【従来の技術】
レーザ光をスキャン（走査）させて基準平面を形成するレベルプレーナ等のレーザ測量機は、正確な基準面を形成するためには、正しく水平に設置されなければならない。このため、従来のレーザ測量機は、整準台を備え、レーザ測量機本体と整準台の間に３本の調整ねじが設けられていて、調整ねじを回転させることにより、レーザ測量機本体の傾きの調整を行っていた。
【０００３】
また、レーザ測量機は、鉛直面を表示するために横置きして使用することもあるが、この場合には、ウォールマウント（下記特許文献１参照）や、フロアマウント（下記特許文献２参照）と呼ばれる専用のアダプタを使用していた。
一方、レーザ測量機は、底面に三脚の定心桿を螺合させる三脚取付孔を備えているので、三脚上に固定して使用することも多かった。
【０００４】
【特許文献１】特開平９−２１０６８７号公報
【特許文献２】特開平１０−３３２３７１号公報
【０００５】
【発明が解決しようとする課題】
近年、自動整準機能を有するレーザ測量機も出現してきた。このような自動整準機能を有するレーザ測量機では、整準台と調整ねじからなる手動の整準機構が不要となるとともに、測量前の整準作業も不要となる。しかしながら、自動整準機能は、レーザ測量機が略水平で安定に設置された場合にのみ、比較的小さな傾き調整を行うものであって、床面等に凹凸があったりして、レーザ測量機が水平姿勢から大きくずれたり、その姿勢が不安定である場合は、自動整準機能が働かないという問題もあった。
【０００６】
また、レーザ測量機は、鉛直面を指示するために横置きで使用することがあるが、この場合には前記ウォールマウントやフロアマウント等の専用の脚アダプタを取り付ける必要があり、しかも、従来の脚アダプタは、レーザ測量機本体に比べて大きく、レーザ測量機のコンパククト性を損ない、レーザ測量機を取り回しずらくするという問題があった。
【０００７】
さらに、レーザ測量機は、三脚上に固定して使用することもあるが、三脚上に固定する場合には、従来の脚アダプタでは、取り外す必要があり、その着脱がわずらわしいうえ、三脚上にはレーザ測量機を横置きに固定できないという問題があった。
【０００８】
本発明は、前記問題に鑑みてなされたものであり、レーザ測量機を三脚上に縦置きでも横置きでも自在に固定でき、三脚を取り外すと、レーザ測量機を凹凸のある面上でも縦置きでも横置きでも自在に直置きできるようにする小型の脚アダプタを提供することを課題とする。
【０００９】
【課題を解決するための手段】
以上の課題を達成するために、請求項１に係る発明の脚アダプタは、レーザ測量機に取り付けられ、前記レーザ測量機を縦置き又は横置き自在にするマウントを有し、前記マウントは、前記レーザ測量機の底面に当接する底面当接壁と、前記レーザ測量機の側面に当接する側面当接壁とを有し、前記底面当接壁及び前記側面当接壁それぞれには三脚取付部及び３本の固定脚を設けたことを特徴とする。
【００１０】
（作用）この脚アダプタをレーザ測量機に取り付け、該レーザ測量機を床面等に縦置き又は横置きすると、底面当接壁又は側面当接壁に設けた３本の固定脚のみが床面に当接するので、床面等に凹凸があっても、レーザ測量機を安定に保持できる。また、底面当接壁又は側面当接壁に設けた三脚取付部に三脚の定心桿を固定することにより、レーザ測量機を三脚上にも縦置き又は横置き自在に固定できる。
【００１１】
請求項２に係る発明は、請求項１に係る発明の脚アダプタにおいて、前記底面当接壁に設けられた三脚取付部は、前記底面当接壁に回転可能に軸支されるとともに、レーザ測量機の底面に設けられた三脚取付孔に螺合する雄ねじ部を備えたことを特徴とする。
【００１２】
（作用）底面当接壁に設けられた三脚取付部の雄ねじ部をレーザ測量機の底面に設けられた三脚取付孔に螺合させることにより、簡単に脚アダプタをレーザ測量機に取り付けることができる。
【００１３】
請求項３に係る発明は、請求項１又は２に係る発明の脚アダプタにおいて、前記底面当接壁又は前記側面当接壁に着脱可能に取り付けられる補助マウントと、該補助マウントに伸縮可能に取り付けられた伸縮脚とを備えたことを特徴とする。
【００１４】
（作用）床面等の凹凸が大きい場合でも、前記底面当接壁又は前記側面当接壁に補助マウントを取り付け、伸縮脚を伸縮せることによって、レーザ測量機を安定に保持できる。
【００１５】
請求項４に係る発明は、請求項３に係る発明の脚アダプタにおいて、前記補助マウントには前記固定脚に着脱可能な係合部が設けられたことを特徴とする。
【００１６】
（作用）補助マウントに固定脚とを着脱可能な係合部を設けるのみで、前記底面当接壁及び前記側面当接壁に補助マウントを取り付けるための特別の部材が必要ない。
【００１７】
請求項５に係る発明は、請求項３又は４に係る発明の脚アダプタにおいて、前記補助マウントには気泡管が備えられたことを特徴とする。
【００１８】
（作用）床面等に大きな凹凸があっても、大きな傾斜があっても、気泡管を見ることによって、簡単に補助マウントを水平にできる。
【００１９】
【発明の実施の形態】
以下、本発明の好ましい実施例につき、添付図面を参照して詳細に説明する。図１は、自動整準機構を内蔵したレベルプレーナ等のレーザ測量機の正面図である。図２は、本発明の一実施例に係る脚アダプタを裏返しにしたときの分解斜視図である。図３は、前記脚アダプタを構成するマウントの斜視図である。図４は、前記脚アダプタにおいて、マウントに補助マウントを取り付ける方法を説明する図である。図５は、前記脚アダプタにおいて、マウントに補助マウントを取り付けた後の斜視図である。図６は、レーザ測量機に前記脚アダプタを取り付けた状態を示す図である。図７は、底面当接壁への三脚取付部の取付状態を示す断面図である。図８は、側面当接壁への三脚取付部の取付状態を示す断面図である。図９及び図１０は、底面当接壁への固定脚の取付状態を示す断面図である。
【００２０】
図１に示したように、自動整準機構を内蔵したレーザ測量機１０は、底面１４周囲に裾部１６を有し、底面１４の略中央部に三脚取付孔１８を有し、一側面２０にサイド脚部２２を突設している。レーザ測量機１０を直接床面２４に縦置きすると、裾部１６が床面に当接し、レーザ測量機１０を直接床面２４に横置きすると、サイド脚部２２が床面２４に当接するようになっている。三脚取付孔１８は、図示しない三脚の定心桿と螺合するものである。
【００２１】
このレーザ測量機１０では、内部に備えた図示しない自動整準機構によって、回転投光部２６が常に正しい姿勢に保持されている。このため、レーザ測量機１０を床面２４に置いた後は整準作業なしに、測量を開始することができる。しかし、床面２４に凹凸があると、レーザ測量機１０の姿勢が安定せず、測量不能となってしまうことがある。
【００２２】
本発明の脚アダプタ３０は、床面２４に凹凸がある場合にもレーザ測量機１０を縦置きも横置きも自在にできるようにし、かつ三脚上にも縦置きも横置きも自在に固定できるようにするものである。
【００２３】
図２−図１０に基づいて、本発明の脚アダプタ３０の望ましい実施例について説明する。この脚アダプタ３０は、レーザ測量機１０の底面１４（又は裾部１６）に安定に当接する底面当接壁４２と、レーザ測量機１０の一側面２０（又はサイド脚部２２）に安定に当接する側面当接壁４４とを有したマウント４０からなる。このマウント４０の底面当接壁４２又は側面当接壁４４の外面には、必要により補助マウント５０が着脱自在に固定される。補助マウント５０の外面には、伸縮可能な３本の伸縮脚６０が着脱可能に取り付けられている。なお、本明細書において、外面又は内面と言うときは、レーザ測量機１０を配置する側の面を内面といい、この反対側を外面という。
【００２４】
このマウント４０は、図２及び図３に示したように、略正六角形の底面当接壁４２と側面当接壁４４とが直角をなした形状をしている。底面当接壁４２の内面には、底面当接壁４２の中心から放射方向に延びるライン３４が引いてあり、このライン３４を図示しない地墨に合わせて鉛直光を出射すると、天井に墨を移すことができる。
【００２５】
また、マウント４０の底面当接壁４２と側面当接壁４４それぞれの中央には、図示しない三脚の定心桿が螺合する三脚取付部７０Ａ、７０Ｂが設けられる。
底面当接壁４２に設けられた三脚取付部７０Ａは、図７に示したように、三脚の定心桿が螺合する雌ねじ部７２Ａと、レーザ測量機１０の底面１４に設けられた三脚取付孔１８に螺合する雄ねじ部７４Ａとを有しており、雌ねじ部７２Ａと雄ねじ部７４Ａは、結合ねじ部７５Ａによって結合される。そして、雌ねじ部７２Ａと雄ねじ部７４Ａとの間には周溝７６Ａが設けられ、この周溝７６Ａが底面当接壁４２の中心に開けられた円孔７７に回転自在に軸支される。
【００２６】
側面当接壁４４に設けられた三脚取付部７０Ｂは、図８に示したように、鍔７３Ｂと、三脚の定心桿が螺合する雌ねじ部７２Ｂからなる。雌ねじ部７２Ｂと側面当接壁４４の中心に開けられた円孔７８を一致させて、鍔７３Ｂと側面当接壁４４の円孔４８周囲とが図示しないビス等により固着される。
【００２７】
マウント４０の底面当接壁４２及び側面当接壁４４それぞれの外面周縁付近の３箇所には、レーザ測量機１０を縦置き又は横置きするとき、床面２４等に当接する固定脚８０Ａ、８０Ｂが取り付けられる。この固定脚８０Ａ、８０Ｂは、三脚を底面当接壁４２及び側面当接壁４４に取り付けるときに支障のない長さに制限される。
【００２８】
この固定脚８０Ａ、８０Ｂは、補助マウント５０を取り付けるためにも用いられ、図９及び図１０に断面図を示したように、形状がやや異なる２種類がある。その一方の２本の固定脚８０Ａは、図９に示したように、マウント４０の取付孔８１に螺合するねじ部８２Ａと、床面等に当接する球面頭部を有する石突き８４Ａを有し、ねじ部８２Ａと石突き８４Ａの間に大径部８６Ａが形成されている。他方の１本の固定脚８０Ｂは、図１０に示したように、基端８２Ｂがマウント４０に開けられた取付孔８７に溶着され、全長にわたってねじ部８３Ｂが形成され、先端に床面等に当接する球面頭部を有する石突き８４Ｂが設けられ、ねじ部８３Ｂには円筒ナット８８Ｂが螺合される。
【００２９】
補助マウント５０は、マウント４０の底面当接壁４２又は側面当接壁４４に固定したとき、マウント４０に設けた三脚取付部７０Ａ、７０Ｂと干渉しないように、中央に大きな円孔５１が開けられている。この円孔５１周囲の１箇所には切り込み５２が設けられている。補助マウント５０も、略正六角形であるが、前記切り込み５２と反対側には一対の切り欠き５４が設けられていて、両切り欠き５４にも前記切り込み５２と同じ向きの切り込み５５が設けられる。これらの切り込み５２、５５は、マウント４０に固定した３本の固定脚８０Ａ、８０Ｂの位置に対応して設けられており、補助マウント５０を固定脚８０Ａ、８０Ｂに係合させるための係合部となる。
【００３０】
補助マウント５０の切り込み５５には、図９に示したようにテーパ面５６が形成されており、切り込み５５に面する円筒ナット８８Ｂの端面には球面８９が形成されている。このテーパ面５６を円筒ナット８８Ｂ下に差し込むと、円筒ナット８８Ｂの球面部８９とテーパ面５６が当接する。このテーパ面５６と球面部８９の当接により補助マウント５０の正確な位置合わせがなされる。ここで、円筒ナット８８Ｂを締めると補助マウント５０がマウント４０に固定される。
【００３１】
補助マウント５０の周縁の適宜箇所には、レーザ測量機１０が自動整準可能な範囲にあるかどうか判断するために、円形気泡管３２（図２、４、５では背面のみが示されている。）が取り付けられている。もちろん、円形気泡管３２の代わりに、２つの棒状気泡管を備えてもよい
補助マウント５０をマウント４０の底面当接壁４２又は側面当接壁４４に固定する際には、切り込み５２、５５の入口と固定脚８０Ａ、８０Ｂとを隣接させ、固定脚８０Ａ、８０Ｂが切り込み５２、５５の奥側へと移動するように、補助マウント５０をスライドさせる。ここで、切り込み５２の入口の幅は小さくなっているので、固定脚８０Ａ、８０Ｂが切り込み５２、５５の奥側へと移動すると、切り込み５２、５５がマウント４０と固定脚８０Ａ、８０Ｂの大径部８６Ａ又は円筒ナット８８Ｂとの間に係合し、補助マウント５０は所定位置に正しくセットされる。さらに、固定脚８０Ｂには円筒ナット８８Ｂを螺合して、補助マウント５０をマウント４０底面当接壁４２又は側面当接壁４４に確実に固定する。このとき、石突き８４Ｂが円筒ナット８８Ｂから突出する。
【００３２】
もちろん、円筒ナット８８Ｂを外して、補助マウント５０を逆方向にスライドさせることにより、補助マウント５０をマウント４０から簡単に外すこともでき、さらに、補助マウント５０を底面当接壁４２又は側面当接壁４４との間で交換自在に取り付けることもできる。
【００３３】
補助マウント５０の外面周縁の３箇所には、伸縮脚６０を伸縮可能に取り付ける脚固定部６１が設けられる。脚固定部６１は、補助マウント５０周縁から直角に外方へ折れ曲がった背面部６２と、背面部６２の先端側に形成されたコ字形部６３を有している。コ字形部６３を形成するには、背面部６２に切り込みを入れ、この切り込みより先端側を直角に内方へ折り曲げることによって形成される。このコ字形部６３に、伸縮脚６０が摺動可能にセットされる。
【００３４】
伸縮脚６０には、一対の平坦部６８が形成され、基部にねじ孔６４が形成されている。脚固定部６１の背面部６２には伸縮脚６０の軸方向と平行に長孔６６が開けられる。脚固定ねじ９０は、つまみ部９２と、つまみ部９２の先端のねじ部９４とからなり、このねじ部９４は、長孔６６に挿通し、伸縮脚６０の基部のねじ孔６４に螺合する。つまみ部９０を回すと、伸縮脚６０の平坦部６８と脚固定部６１の背面部６２が圧接され、伸縮脚６０は安定的に脚固定部６１に固定される。脚固定ねじ９０を緩めると、伸縮脚６０を自在に伸縮させることができる。
【００３５】
本実施例の脚アダプタ３０を使用法について説明する。レーザプレーナ１０に取り付けるには、マウント４０の底面当接壁４２及び側面当接壁４４それぞれレーザプレーナ１０の底面１４及び側面２０に当接させ、三脚取付部７０Ａを回転させて、三脚取付部７０Ａの雄ねじ部７４Ａをレーザプレーナ１０底面１４に設けた三脚取付孔１８に螺合する。床面の凹凸が小さい場合は、マウント４０の３本の固定脚８０Ａ、８０Ｂでもって、レーザ測量機１０を縦置きでも横置きでも安定に支持でき、直ちに自動整準機構が働き、測量を開始できる。
【００３６】
三脚上に設置する場合は、三脚の定心桿を三脚取付部７０Ａ、７０Ｂの雌ねじ部７２Ａ，７２Ｂに螺合させれば、縦置き又は横置き自在に設置できる。
【００３７】
床面の凹凸が大きい場合は、補助マウント５０をマウント４０の底面当接壁４２又は側面当接壁４４に取付け、円形気泡管３２を見ながら、補助マウント５０が略水平になるように伸縮脚６０の長さを調節する。補助マウント５０が略水平なると、自動整準機構が働き測量を開始できる。
【００３８】
ところで、本発明は、前記実施例に限定されるものではなく、種々の変形が可能である。たとえば、前記実施例ではマウント４０とレーザ測量機１０とを結合するのに、三脚取付孔１８と三脚取付部７０Ａを用いたが、レーザ測量機１０に専用のねじ孔を設け、マウント４０に前記専用のねじ孔に螺合するボルトを取り付けるなど、両者を適宜結合手段によって結合してもよい。また、マウント４０と補助マウント５０を結合するのにも、両者を適宜結合手段によって結合してもよい。さらに、伸縮脚６０を脚固定部６１に結合するのに、伸縮脚６０に雄ねじを切り、脚固定部６１に前記雄ねじと螺合する雌ねじを設けてもよい。
【００３９】
【発明の効果】
以上詳細に説明したように、請求項１に係る発明では、レーザ測量機に取り付ける脚アダプタのマウントは、レーザ測量機の底面に当接する底面当接壁と、レーザ測量機の側面に当接する側面当接壁とを有し、底面当接壁及び側面当接壁それぞれには三脚取付部及び３本の固定脚を設けたので、この脚アダプタをレーザ測量機に取り付けると、床面等に凹凸があっても、底面当接壁又は側面当接壁に設けた３本の固定脚によって、レーザ測量機を縦置き又は横置き自在に床面等に安定に直置きできる。また、底面当接壁又は側面当接壁に設けた三脚取付部に三脚の定心桿を固定することによって、レーザ測量機を三脚上にも縦置き又は横置き自在に固定できる。しかも、この脚アダプタは、レーザ測量機の底面に当接する底面当接壁と、レーザ測量機の側面に当接する側面当接壁とを有するマウントからなるので、小型に形成することができる。
【００４０】
請求項２に係る発明では、さらに、底面当接壁に設けられた三脚取付部は、底面当接壁に回転可能に軸支されるとともに、レーザ測量機の底面に設けられた三脚取付孔に螺合する雄ねじ部を備えたので、三脚取付部の雄ねじ部をレーザ測量機の底面の三脚取付孔に螺合させることにより、簡単に脚アダプタをレーザ測量機に取り付けることができる。したがって、既存のレーザ測量機にも簡単に取り付けることができる。
【００４１】
請求項３に係る発明では、さらに、底面当接壁又は側面当接壁に着脱可能に取り付けられる補助マウントと、該補助マウントに伸縮可能に取り付けられた伸縮脚とを備えたので、床面等に大きな凹凸がある場合でも、底面当接壁又は側面当接壁に補助マウントを取り付け、伸縮脚を伸縮せることによって、レーザ測量機を安定に水平保持できる。
【００４２】
請求項４に係る発明では、さらに、補助マウントには固定脚に着脱可能な係合部が設けられたので、補助マウントに固定脚と着脱可能な係合部を設けるのみで、底面当接壁及び側面当接壁に補助マウントを取り付けるための特別の部材が必要なく、本発明の脚アダプタの構造が簡単になる。
【００４３】
請求項５に係る発明では、さらに、前記補助マウントには気泡管が備えられたので、床面等に大きな凹凸があっても大きな傾斜があっても、気泡管を見ることによって、迅速に補助マウントすなわちレーザ測量機を略水平にできる。
【図面の簡単な説明】
【図１】本発明の脚アダプタを取り付けるレーザプレーナの正面図である
【図２】本発明の一実施例に係る脚アダプタを裏返しにしたときの分解斜視図である。
【図３】前記脚アダプタを構成するマウントの斜視図である。
【図４】前記脚アダプタにおいて、マウントに補助マウントを取り付ける方法を説明する図である。
【図５】前記脚アダプタにおいて、マウントに補助マウントを取り付けた後の斜視図である。
【図６】レーザ測量機に前記脚アダプタが取り付けられた状態を示す図である。
【図７】前記マウントの底面当接壁への三脚取付部の取付状態を示す断面図である。
【図８】前記マウントの側面当接壁への三脚取付部の取付状態を示す断面図である。
【図９】前記マウントの底面当接壁への固定脚８０Ａの取付状態を示す断面図である。
【図１０】前記マウントの底面当接壁への固定脚８０Ｂの取付状態を示す断面図である。
【符号の説明】
１０      レーザ測量機
１４      底面
１８      三脚取付孔
２０      側面
３０      脚アダプタ
３２      円形気泡管（気泡管）
４０      マウント
４２      底面当接部
４４      側面当接部
５０      補助マウント
５２、５５    切り込み（係合部）
６０      伸縮脚
７０Ａ、７０Ｂ    三脚固定部
８０Ａ、８０Ｂ    固定脚
【図１】
2005003643.tif 000003
【図２】
2005003643.tif 000004
【図３】
2005003643.tif 000005
【図４】
2005003643.tif 000006
【図５】
2005003643.tif 000007
【図６】
2005003643.tif 000008
【図７】
2005003643.tif 000009
【図８】
2005003643.tif 000010
【図９】
2005003643.tif 000011
【図１０】
2005003643.tif 000012